(57)【特許請求の範囲】
【請求項１】
建物の部品を補修又は交換する際に使用される部品検索システムであって、
前記部品又はその代替部品が写真又は図面とともに記憶された部品データベースと、
建物の種類情報、部位情報又は部品情報の少なくとも一つを入力させることによって前記部品データベースの中から検索対象の部品を抽出する検索手段と、
前記部品データベースに登録されている前記部品が欠品になった際にその代替部品情報とその適合情報とを前記部品データベースに記憶させる更新手段と、
前記検索手段による検索結果を表示させる出力手段とを備え、
前記出力手段は、検索対象の前記部品の画像を表示させる真正部品表示領域と、前記検索手段によって抽出された真正部品又は代替部品の画像を表示させる発注部品表示領域と、前記発注部品表示領域が真正部品又は代替部品のいずれを表示しているかを示す真正・代替データ表示領域とを有することを特徴する部品検索システム。
【請求項２】
前記更新手段では、前記部品データベースに登録されている前記部品が欠品になった際にその代替部品がない場合は、警告情報を前記部品データベースに記憶させることを特徴とする請求項１に記載の部品検索システム。
【請求項３】
前記写真又は図面には、寸法情報が記憶されることを特徴とする請求項１又は２に記載の部品検索システム。
【請求項４】
前記写真又は図面は、全体から詳細部まで展開可能な情報として記憶されることを特徴とする請求項１乃至３のいずれか一項に記載の部品検索システム。
【請求項５】
前記更新手段では、前記部品データベースに登録されている前記部品の在庫情報を記憶させることを特徴とする請求項１乃至４のいずれか一項に記載の部品検索システム。
【請求項６】
前記代替部品情報として色情報が記憶されることを特徴とする請求項１乃至５のいずれか一項に記載の部品検索システム。
【請求項７】
前記建物は、ユニット建物であることを特徴とする請求項１乃至６のいずれか一項に記載の部品検索システム。
【発明の詳細な説明】
【技術分野】
【０００１】
本発明は、建物に使用された部品を補修したり、交換したりする際に使用される部品検索システムに関するものである。
【背景技術】
【０００２】
住宅等の建物を建築する際には多くの部品が使用されるが、建築後に年月が経過するに伴って、部品が劣化したり損傷したりして、補修又は交換が必要になる時期がくる。
【０００３】
ところが部品の補修又は交換が必要になる時期は、一般に５〜１０年後になり、建築時に使用した部品の特定が難しい場合が多く、部品の発注ミスなどが起きていた。このような課題を解決するために、特許文献１に開示されているようなユニット建物に関連付けて部品情報が記憶される邸展開データ検索システムが開発されている。
【０００４】
また、特許文献２には、上位概念から下位概念に展開できるような部材情報のデータベースを構築しておき、補修又は交換時に簡単に部品を特定できるような住宅維持管理情報提供システムが開示されている。
【０００５】
一方、特許文献３には、建物の画像と寸法情報とを取り込むことで、リフォーム後の建物の合成画像が生成できる住宅リフォーム支援システムが開示されている。
【先行技術文献】
【特許文献】
【０００６】
【特許文献１】特許第３９３１０４１号公報
【特許文献２】特開２０１１−３１４３号公報
【特許文献３】特開２００５−１０８６１号公報
【発明の概要】
【発明が解決しようとする課題】
【０００７】
しかしながら、５〜１０年も時間が経過すると、建築時に使用した部品の生産が終了していたり、在庫が残っていなかったりして、部品が特定できたとしても補修や交換に繋げられないことがある。
【０００８】
また、在庫のない部品に対して代替部品が紹介されていても、実際に建物に取り付けられる保証はなく、取り付けられたとしても色が異なるなど顧客が満足できる補修や交換がおこなえないことがある。
【０００９】
そこで、本発明は、補修や交換の対象となる部品が代替部品になっても適合性を確認することが可能な部品検索システムを提供することを目的としている。
【課題を解決するための手段】
【００１０】
前記目的を達成するために、本発明の部品検索システムは、建物の部品を補修又は交換する際に使用される部品検索システムであって、前記部品又はその代替部品が写真又は図面とともに記憶された部品データベースと、建物の種類情報、部位情報又は部品情報の少なくとも一つを入力させることによって前記部品データベースの中から検索対象の部品を抽出する検索手段と、前記部品データベースに登録されている前記部品が欠品になった際にその代替部品情報とその適合情報とを前記部品データベースに記憶させる更新手段とを備えたことを特徴する。
【００１１】
ここで、前記更新手段では、前記部品データベースに登録されている前記部品が欠品になった際にその代替部品がない場合は、警告情報を前記部品データベースに記憶させる構成とすることができる。
【００１２】
また、前記適合情報は、前記代替部品の取り付けが良好に行なえたか否かを確認した実績を示す情報であることが好ましい。例えば、前記検索手段は利用者を識別するための認証手段と接続されており、検索によって抽出された部品に前記代替部品が記憶されていた場合は、前記代替部品の取り付けが良好に行なえたか否かの実績を前記更新手段によって記憶させない限り、前記検索手段への接続が行えない構成にすることができる。
【００１３】
さらに、前記写真又は図面には、寸法情報が記憶されるのが好ましい。また、前記写真又は図面は、全体から詳細部まで展開可能な情報として記憶させることができる。
【００１４】
さらに、前記更新手段では、前記部品データベースに登録されている前記部品の在庫情報を記憶させることができる。また、前記代替部品情報として色情報が記憶される構成であってもよい。
【００１５】
そして、前記建物は、ユニット建物であることが好ましい。
【発明の効果】
【００１６】
このように構成された本発明の部品検索システムは、部品が生産終了や在庫切れによって欠品になった際には、その代替部品の代替部品情報と適合情報を記憶させる更新手段を備えている。
【００１７】
このため、補修や交換の対象となる部品が欠品になっていても代替部品を容易に特定することができるうえに、代替部品を取り寄せなくても適合性を確認することができる。
【００１８】
また、代替部品がない場合に警告情報が記憶されるようになっていれば、補修や交換が行えないことを早期に認識できるようになり、必要な部品であれば生産を再開させたり、代替部品を製作させたりという手配を迅速に行うことができる。
【００１９】
さらに、適合情報が、代替部品の取り付けが良好に行えたか否かを確認した実績を示す情報であれば、代替部品として使用できるという可能性の情報よりも確実な判断材料とすることができる。特に、検索利用者が代替部品の取り付けを行った実績を必ず残すような構成とすることで、代替部品の交換実績を着実に増やしていくことができる。
【００２０】
また、写真又は図面に寸法情報が記憶されていれば、代替部品とその取り付け箇所との寸法を対比させながら適合性を確認することができる。さらに、写真又は図面が、全体から詳細部まで展開可能な情報として記憶されていれば、詳細まで容易に確認することができる。
【００２１】
また、更新手段によって在庫情報を更新させるようになっていれば、部品を検索した際に、同時に在庫の有無を確認することができる。さらに、代替部品情報として色情報が記憶されていれば、代替部品を取り寄せなくても、取り付け箇所との色の適合性を判断することができる。
【００２２】
そして、部品を使用した建物がユニット建物であれば、建築時の部品に関する情報が残されているうえに、代替部品への切り替えや欠品時の対応も効率的に行うことができる。
【図面の簡単な説明】
【００２３】
【図１】本発明の実施の形態の部品検索システムの構成を説明するブロック図である。
【図２】検索対象となる部品を部品データベースの中から抽出するための検索方法を例示した説明図である。
【図３】視覚的に部品を特定する検索方法を例示した説明図である。
【図４】キーワードを使って部品を検索する検索方法を例示した説明図である。
【図５】部品データベースから抽出された検索結果を例示した説明図である。
【発明を実施するための形態】
【００２４】
以下、本発明の実施の形態について図面を参照して説明する。図１は、本発明の部品検索システム１の構成を説明するブロック図である。まず、図１を参照しながら部品検索システム１の全体構成について説明する。
【００２５】
この部品検索システム１は、サーバとデータベースと端末機とから構成されるものに組み込まれている。なお、パーソナルコンピュータなどの１台のコンピュータの中に組み込まれている構成であってもよい。
【００２６】
部品検索システム１は、利用者を識別して認証するための認証手段１０と、検索手段の入力部となる検索入力部２と、新規登録や更新手段の入力部となる更新入力部３と、入力部（２，３）からの入力情報が送られ各種演算処理をおこなう演算処理部４と、演算処理部４に接続される部品データベース５と、入力画面や検索結果を表示させる出力手段としての表示モニタ６とから主に構成される。
【００２７】
認証手段１０においては、各利用者に与えられた識別符号（ＩＤ）とパスワードを入力することにより、部品検索システム１に接続できるようになる。
【００２８】
検索入力部２からは、築年月情報２１、商品タイプ情報２２、部位情報２３、部品情報２４などが入力される。入力手段は、キーボード、マウス、タッチパネルなどいずれの形態であってもよい。また、演算処理部４に接続されている既存のデータベースから取得することもできる。
【００２９】
築年月情報２１は、図２（ａ）に示すように建物の竣工時期を示す情報である。「年」、「月」を別々に入力する方式でも、一連に入力する方式でもよい。ユニット建物であれば、築年月情報２１によって、その時期に販売されていた商品タイプが特定できる。
【００３０】
商品タイプ情報２２は、例えば２階層（２２ａ，２２ｂ）で絞り込むことができる。例えば図２（ａ）に示すように、第１階層２２ａにおいてユニット建物が鉄骨ラーメン構造（例えばブランド名「ハイム」）なのか、木質系構造（例えばブランド名「ツーユー」）なのかを特定する。続いて第２階層２２ｂでは、それぞれの分類に属する商品名（第１階層２２ａで「ハイム」を選択した場合は、「アバンテ、ドマーニ、セラーノ，・・・」など）を選択する。
【００３１】
なお、建物及び顧客に関する様々な情報が登録、管理されているユニット建物であれば、その邸を識別する邸コードや邸名を入力することによって、その邸コード等に関連付けて記憶された部品情報のすべてを表示させることができる。よって、邸コード等を入力することで、ここまでの入力作業を省略することもできる。
【００３２】
また、部位情報２３は、６階層程度を最大にして例えば４階層（２３ａ，２３ｂ，２３ｃ，２３ｄ）で絞り込む。例えば図２（ｂ）に示すように、第１階層２３ａにおいて「サッシ、雨戸、シャッター」などの部品が使用される箇所が特定される。続いて第２階層２３ｂでは、第１階層２３ａで特定された箇所の種類をさらに絞り込む。例えば、第１階層２３ａで「サッシ」を選択した場合は、第２階層２３ｂでは「シングルガラス、シングルペア、アルプラ」などの種類から選択する。
【００３３】
さらに、第３階層２３ｃでは、「洋高、和高、全開、設備窓、キッチン、高窓」などの取付位置情報によって絞り込みを進める。そして、第４階層２３ｄでは、幅情報「０４，０５，０６，０８，０９，１１」によって最終的な部位の特定をおこなう。
【００３４】
部品情報２４は、特定された部位に使用される部品の中から、４階層程度を最大にして例えば２階層（２４ａ，２４ｂ）で検索対象である部品を絞り込む。例えば図２（ｃ）に示すように、第１階層２４ａにおいて「クレセント、戸車、ガラス、障子、全交換」などの部品の種類が特定される。
【００３５】
続いて第２階層２４ｂでは、第１階層２４ａで特定された部品の種類をさらに絞り込む。例えば、第１階層２４ａで「クレセント」を選択した場合は、第２階層２４ｂでは「右錠、左錠」などの種類を選択する。
【００３６】
以上のような検索をおこなうことで、「1993年12月」に建てられた「パルフェ（ハイム）」の「サッシ（シングルペア、洋高０９）」に使用されていた「クレセント」の「左錠」という部品が特定されることになる。
【００３７】
このような検索は、別の方法でも行うことができる。図３は、部位まで特定された段階で、表示モニタ６に表示された部位（扉）の画像から、部品を選択させる表示例である。この検索方法であれば、部品の名称が分からなくても、画像を見ながら部品（ガイドローラー、掘込ヒンジ、上軸ピボット、下軸ピボット）を特定することができる。
【００３８】
また、図４に示すように、キーワードを使った検索を行うこともできる。この検索方法では、部品に関するキーワードによって絞り込みを行う。また、部品名だけでは同じ名称の多くの部品が抽出されてしまうため、商品名、生産年月、部位などの情報で絞込みをかけることもできる。
【００３９】
例えば部位は、「基礎、構造体、庇、床、屋根、外壁、天井、和室天井、間仕切り、開口、建具、階段、収納、サニタリー、キッチン、電気、内装、外装、張合材、塗料シール材、モールディング」などで絞り込みを行うことができる。
【００４０】
なお、この他にも、部品の品番や品名がわかっている場合には、直接、それらを入力することで、部品データベース５に登録された情報を引き出すことができる。
【００４１】
続いて更新入力部３からは、図１に示すように、新規登録情報３０、代替部品情報３１、適合情報３２、在庫情報３３、警告情報３４などが入力される。入力手段は、検索入力部２と共通の手段が使用できる。また、演算処理部４に接続されている他のデータベースから取得することもできる。
【００４２】
新規登録情報３０は、部品データベース５に新たに部品を登録する際の入力手段である。部品を登録する時点で既に代替部品が使用されている場合は、その情報も併せて登録させることができる。
【００４３】
代替部品情報３１には、代替部品の品番、品名、価格、写真、図面、メーカなどの情報が該当する。また、代替部品の登録をする場合には、代替部品である（真正部品でない）ことの情報も記録させる。さらに、写真や図面を記憶させる際には、部品の寸法がわかるようにスケールや寸法などの寸法情報を併せて記憶させる。
【００４４】
適合情報３２は、代替部品が真正部品の代わりに良好に取り付けられるか否かを示す情報である。例えば、代替部品を実際に補修又は交換で使用した実績があれば、「実績あり」という情報や取り付け状態が「良好」といった情報が入力される。
【００４５】
これに対して、取り付けることはできるが形状が異なっていたり、色が違っていたりした場合は、「一部相違点あり」、「形状違い」、「色違い」などの情報が入力される。
【００４６】
また、仕様からは代替部品に利用できることが推定されたり、メーカから代替部品として販売されていたりしても、実際に建物に代替部品として取り付けた実績がなければ、「一部相違点あり」などの不具合が生じる場合もあるため、「（使用）実績なし」、「未確認」などの情報も入力できるようにする。
【００４７】
さらに、適合情報３２として、確認した日付、担当者、代替部品を使用することになった理由（仕様変更、部品廃止、保有期限切れ等）、メーカ情報（会社名、担当部署、連絡先等）などを入力することもできる。
【００４８】
また、適合情報３２として、劣化や損傷していない箇所も含めて部品の全部を交換しなければならないのか、一部の部分のみ注文できて、交換することが可能なのかといった情報も入力することができる。
【００４９】
さらに、部品を検索した利用者に代替部品の交換実績を直接、蓄積させるようにすることもできる。例えば、認証手段１０によって部品検索システム１に接続した利用者が代替部品のある部品を検索し、部品検索システム１を通じてその代替部品を注文した場合、代替部品の交換実績を適合情報３２として必ず入力させるような構成にする。
【００５０】
例えば、代替部品を注文した利用者が、次回に検索を行うために部品検索システム１の認証手段１０にＩＤとパスワードを入力すると、更新入力部３の適合情報３２を更新する画面に切り替わるようにしておく。この画面には、例えば代替部品の取り付けが良好に行えたか否かの実績を残すための、「良好」、「一部相違点あり」、「不適合」などのボタンがあり、いずれかのボタンを押すことによって実績を記憶させることができるようにしておく。
【００５１】
在庫情報３３は、真正部品又は代替部品の在庫があるか否か、残り数量、納品までにかかる日数などの情報である。また、警告情報３４は、部品が欠品になったにも関わらず代替部品が特定できない場合に、代替部品がないことを警告するための情報である。
【００５２】
このように入力部（２，３）から入力された情報は、演算処理部４を介して部品データベース５に記憶される。部品データベース５には、品番・品名データ５１、真正・代替データ５２、警告データ５３、在庫データ５４、適合データ５５、写真・図面データ５６などが記憶される。
【００５３】
部品データベース５は、部品検索システム１の専用データベースであってもよいが、他の既存の複数のデータベースを組み合わせて構成することもできる。例えば、写真・図面データ５６は、別途、構築されている場合が多いため、演算処理部４が図面等を記憶しているデータベースから必要なデータを取り込めるようになっていればよい。
【００５４】
図５は、検索によって特定された部品又は代替部品に関連付けられたデータを、部品データベース５から取り出して表示モニタ６に検索結果として出力させた例を示している。
【００５５】
表示モニタ６は、タッチパネル方式の専用モニタ、パーソナルコンピュータのモニタ画面、テレビ画面、携帯電話の画面など様々な形態のものが使用できる。また、出力手段としては、表示モニタ６の他に、プリンタ又はハードディスク若しくは光ディスクなどの記憶装置が使用できる。
【００５６】
表示モニタ６の表示領域７１には、品番、品名、納入方法、価格、受注単位などのデータを、部品データベース５の品番・品名データ５１から取り出して表示させる。
【００５７】
また、真正・代替データ５２からは、検索時点において登録されている部品が真正部品か代替部品かのデータを取り出して、「真正」又は「代替」と表示させる。
【００５８】
さらに、警告データ５３からは、真正部品が生産終了又は在庫切れで入手できないにも関わらず代替部品が設定できない状態になっていないかのデータを取り出して、「なし」又は「あり」の表示をさせる。
【００５９】
また、在庫データ５４からは、検索時点において登録されている部品（真正部品又は代替部品）の在庫に関するデータを取り出して、「あり」、「なし」、「残数量３個」などの表示をさせる。
【００６０】
そして、適合データ５５からは、代替部品の適合性についてのデータを取り出して、例えば交換実績の全数に対する良好の割合として表示させる。交換実績の全数がわかると、交換実績の信頼性を利用者自身が判断することができる。
【００６１】
また、適合データ５５の表示は、「良好」、「形状違い」、「色違い」などの表示であってもよい。適合するか否かが確認できていない場合は、「実績なし」、「未確認」などの表示としてもよい。
【００６２】
さらに、表示モニタ６の表示領域７２には、真正部品の写真を写真・図面データ５６から取り出して表示させる。この表示領域７２に表示される部品は、現在、補修又は交換を行おうとしている部品である。このように真正部品の写真や図面が表示されれば、検索によって抽出された部品が交換を行いたい部品に間違いないかを確認することができる。
【００６３】
そして、真正部品の生産がまだ続いているか在庫があるかなどで入手が可能な場合は、表示領域７３ａには表示領域７２と同じ部品の写真が表示される。これに対して、真正部品の生産が終了し、在庫もなくなって入手が不可能な状態になり、代替部品が代わりに部品データベース５に登録されている場合は、表示領域７３ａには代替部品の写真が表示される。
【００６４】
ここで、表示領域７２，７３ａに表示される写真には寸法情報となるスケールも表示される。このように真正部品の写真と代替部品の写真の両方にスケールが表示されていれば、形状が異なる場合でも、寸法を測って適合性を確認することができる。なお、補修対象部品（真正部品）は建物に実物が付いているため、真正部品の写真にはスケールがなくてもよい。
【００６５】
一方、表示領域７３ｂには、代替部品の図面を写真・図面データ５６から取り出して表示させる。なお、代替部品ではなく真正部品がそのまま登録されている場合は、表示領域７３ｂに真正部品の図面を表示させてもよい。
【００６６】
ここで、図面は、表示させる図面が少なければそのまま表示させることもできるが、全体から詳細部まで多くの図面がある場合は、リンクによって展開させることが可能な図番表示などを表示領域７３ｂに表示させておくこともできる。
【００６７】
この場合、表示領域７３ｂの図番表示をクリックすると、全体（本体）から詳細部までの名称がツリー表示され、さらにそのツリー表示の確認したい名称をクリックすると、図面が読み込まれて別のウインドウが開くというような構成にすることができる。
【００６８】
また、表示モニタ６の表示領域７４には、「備考」など登録されている部品に関する任意の情報を表示させることができる。
【００６９】
次に、本実施の形態の部品検索システム１の処理の流れについて説明する。
【００７０】
まず、部品データベース５を構築する。この部品データベース５は、ある時点での新築又は既築のユニット建物に使用されている部品について、更新入力部３から新規登録情報３０として可能な限り登録するのが好ましい。また、在庫情報３３は、在庫に変化があった場合に逐次、更新する。
【００７１】
一方、部品データベース５への登録時から時間が経過して、部品の在庫がなくなり、代替部品を設定しなければならなくなった時点で、更新入力部３から代替部品情報３１を入力する。
【００７２】
代替部品情報３１を入力する際には、併せて適合情報３２、在庫情報３３、警告情報３４なども入力する。なお、適合情報３２は、上述したように代替部品を取り付けた利用者に、直接、入力させる構成にすることもできる。
【００７３】
そして、修繕依頼やリフォームの依頼などがあった場合に、検索入力部２から補修又は交換が必要な部品の情報を入力して、部品データベース５に登録されている必要なデータを引き出す。
【００７４】
この検索入力部２による検索は、上述したように図２−４に示したような色々な方法で行うことができる。そして、図５に示すような検索結果が表示モニタ６に表示される。
【００７５】
この検索結果を見ると、品番や部品の品名などがわかる。また、納入方法や価格や注文できる単位や在庫情報などもわかる。また、表示領域７２に現在使用している部品の写真が寸法情報入りで表示されるため、検索した部品に間違いがないかを確認することができる。
【００７６】
さらに、現在、入手可能な部品が真正部品であるか代替部品であるかもわかる。また、代替部品であった場合には、適合性についても表示される。適合性については、表示領域７３ａ，７３ｂに表示される代替部品の写真や図面を参照することによって、自ら確認することもできる。
【００７７】
次に、本実施の形態の部品検索システム１の作用について説明する。
【００７８】
このように構成された本実施の形態の部品検索システム１は、部品が生産終了や在庫切れによって欠品になった際には、その代替部品の代替部品情報３１と適合情報３２を記憶させる更新入力部３などの更新手段を備えている。
【００７９】
このため、補修や交換の対象となる部品が欠品になっていても代替部品を容易に特定することができるうえに、代替部品を取り寄せなくても適合性を確認することができる。
【００８０】
また、代替部品がない場合に警告情報３４が記憶されるようになっていれば、補修や交換が行えないことを早期に認識できるようになり、必要な部品であれば生産を再開させたり、代替部品を製作させたりという手配を迅速に行うことができる。
【００８１】
さらに、適合情報３２が、代替部品の取り付けが良好に行えたか否かを確認した実績を示す情報であれば、代替部品として使用できるという可能性のみの情報よりも確実な判断材料とすることができる。
【００８２】
特に、検索利用者が代替部品の取り付けを行った場合は、その実績を入力しなければ次の検索がおこなえないような構成にして実績が必ず蓄積されるようにすることで、代替部品の交換実績を着実に増やしていくことができる。
【００８３】
また、写真又は図面に寸法情報が記憶されていれば、代替部品とその取り付け箇所との寸法を対比させながら、自ら適合性を確認することができる。さらに、写真又は図面を、全体図から詳細部の図面まで展開して表示させることができれば、詳細の形態についてまで容易に確認することができる。
【００８４】
また、更新入力部３などの更新手段によって在庫情報３３を更新させるようになっていれば、部品を検索した際に、同時に在庫の有無を確認することができる。
【００８５】
さらに、代替部品情報３１として色情報が記憶されていれば、代替部品を取り寄せなくても、取り付け箇所との色の適合性を判断することができる。この色情報は、色の名称でもカラー写真によるものでもいずれであってもよい。
【００８６】
そして、部品を使用した建物がユニット建物であれば、建築時の部品に関する情報が既存のデータベースに詳細に記憶されているうえに、代替部品への切り替えや欠品時の対応も効率的に行うことができる。
【００８７】
以上、図面を参照して、本発明の実施の形態を詳述してきたが、具体的な構成は、この実施の形態に限らず、本発明の要旨を逸脱しない程度の設計的変更は、本発明に含まれる。
【００８８】
例えば、前記実施の形態では、建物としてユニット建物に使用される部品を例に説明したが、これに限定されるものではなく、在来工法の建物に使用される部品の検索にも本発明を適用することができる。
【００８９】
また、前記実施の形態では、代替部品がない場合を明確にさせるための警告情報３４がある場合について説明したが、これに限定されるものではなく、警告情報３４を記憶させる構成は省略することもできる。
【００９０】
さらに、前記実施の形態では、真正部品も代替部品も写真が表示される場合について説明したが、これに限定されるものではなく、両方とも図面のみが表示される構成であってもよい。
【符号の説明】
【００９１】
１            部品検索システム
１０          認証手段
２            検索入力部
２２          商品タイプ情報（建物の種類情報）
２３          部位情報
２４          部品情報
３            更新入力部
３１          代替部品情報
３２          適合情報
３３          在庫情報
３４          警告情報
４            演算処理部
５            部品データベース
５１          品番・品名データ
５２          真正・代替データ
５３          警告データ
５４          在庫データ
５５          適合データ
５６          写真・図面データ
６            表示モニタ
【図１】
0006033559.tif 000002
【図２】
0006033559.tif 000003
【図３】
0006033559.tif 000004
【図４】
0006033559.tif 000005
【図５】
0006033559.tif 000006